(57)【要約】      （修正有）【課題】防寒用に使用できる蚊帳を提供する。【解決手段】ビニールシート等に換気用の穴を開けて、そこに蚊帳の生地を取り付けておくと、換気が自然に行われると同時に蚊の侵入も防いでくれる。また、ビニールシート等は全く通気性が無いので防寒には好都合であり、透明になっていると部屋の明かりが良く通って蚊帳の中が明るい。学生などが、机と椅子をカバーする様に取り付けて、部屋の暖房を落として足元に電気コタツを置いて、足だけを温めて勉強すると頭寒足熱の効果があり能率も上がる。部屋全体を暖房しておくと、暖房費が無駄になるだけでは無く、暖かい空気が部屋の上部に溜まり易いのでぼーっとして、勉強の能率が上がりにくい。二重の物を使用すると更に有効である。【選択図】図1
0003147354.tif 000002
【実用新案登録請求の範囲】
【請求項１】
従来の蚊帳の生地を、目の粗い麻などの素材から、ビニールシート等
の通気性の無い素材に変え、換気用の穴を開けて、その穴に蚊帳の生
地を取り付けた事を特徴とする防寒用の蚊帳。
【請求項２】
請求項１に記載の防寒用の蚊帳の外側に、例えば全体に１０センチ
位の間隔を取って、１０センチ位一回り大きな同様の物を吊り紐に取り
付けて、二重にして防寒効果を増した事を特徴とする防寒用の蚊帳。
【考案の詳細な説明】
【技術分野】
【０００１】
この考案は、現在は主として夏に蚊から身を守る為に使用されている
蚊帳の素材を、ビニールシート等の通気性の無い素材に変え、換気用
の穴を開けて、そこに蚊帳の生地を取り付けて防寒用に使用出来る様
にしたものである。
【背景技術】
【０００２】
蚊帳には色々な種類があり、ネットを一本のロープで垂らしたり、バネ
の力を利用して簡単に折りたためたり、また元に戻し易くした物も有る。
花粉症患者用蚊帳として特許登録されて社会貢献している物もある。
これは、蚊帳の生地の代わりに、化学繊維を使用して、花粉を含む外
気が化学繊維を通過して蚊帳の内側に侵入する際に、種々の方法で
花粉が除去されて新鮮な空気だけが入って来る様にした発明である。
【特許文献１】特許3376525号公報
【０００３】
蚊帳の様な外観で、ビニールシートとフレーム棒で構成して、その上
部にファンフィルターユニットを取り付けて、簡易組み立て式クリーンル
ームとして使用するという発明もされている。
【特許文献２】特開2005-090933号公報
【考案の開示】
【考案が解決しようとする課題】
【０００４】
解決しようとする問題点は、本来、夏に蚊などの虫除けに使用されて
いる蚊帳を、冬の防寒用に使用するという発想は今までに無かった。
防寒用に使用する為には、夏用の蚊帳をそのまま使用したのでは全く
効果が無いと言っても良い位である。
【課題を解決するための手段】
【０００５】
夏用の蚊帳に要求されるのは、蚊などの虫を中に入れない事であり、
また、通気性を良くして蚊帳の中に熱が篭らない様にして、蚊帳の使用
中に涼しさを犠牲にしない事である。本考案の様に防寒を目的とした場
合とは全く逆であって、通気性は防寒効果を著しく阻害する要因になっ
てしまう。
【０００６】
防寒の効果を高める為には、先ず通気性を出来るだけ少なくする必
要が有る。ただ、通気性を全く無くしてしまって、蚊帳の中を全く密封の
状態にしてしまうと、就寝中に吐いた呼気が上昇して蚊帳の上部に溜
まり、そこで冷やされて、酸素が少なく炭酸ガスと二酸化窒素の多い空
気が下降して、一酸化炭素中毒や窒息死の原因にもなりかねない。
多少の空気の漏れが有ったとしても、窒息死や一酸化炭素中毒に近い
状態に陥る恐れがある。
【０００７】
起きていれば直ぐに気づく様な些細な事柄でも、就寝中には全く気付
かずに死に至ると言う事は、火災事故などの際にも多く見られる現象で
ある。本考案では、これらの事故を未然に防ぎ、且つ防寒の効果を上
げる為にビニールシート等を蚊帳の生地に使用して、換気用の穴を設
けて換気を行う。換気用の穴には、地球温暖化のせいか、冬にも生息
している蚊の侵入を防ぐために従来の蚊帳の生地を取り付けておく。更
に防寒の効果を上げる為には、例えば１０センチ位の間隔を開けて、外
側に１０センチ位一回り大きな同様の物を取り付けて二重にしておくと
防寒の効果は更に増す。
【考案の効果】
【０００８】
この様に構成したので、本考案の防寒用の蚊帳は、夏の蚊帳と同様
の吊り方で、冬の寒い日に燃料不要で防寒効果がある。日常生活での
使用は無論の事、被災して停電になったり、体育館などの施設に避難
した場合などにも、少しの工夫で使用が可能である。本考案の蚊帳は
防寒用としては勿論、大多数の人々と同時に長期間避難生活を余儀な
くさせられた時等にも、少しはプライバシーの保護に役立ち、多少の防
音効果や安心感も得られるので、ストレスを多少は減少できる。二重に
なった蚊帳を使用すると、前述の各種の効果が更に増す事になる。
【考案を実施するための最良の形態】
【０００９】
ビニールシート等に換気用の穴を開けて、そこに蚊帳の生地を取り付
けておくと、換気が自然に行われると同時に蚊の侵入も防いでくれる。
また、ビニールシート等は全く通気性が無いので防寒には好都合であ
り、透明になっていると部屋の明かりが良く通って蚊帳の中が明るい。
学生などが、机と椅子をカバーする様に取り付けて、部屋の暖房を落と
して足元に電気コタツを置いて、足だけを温めて勉強すると頭寒足熱の
効果があり能率も上がる。部屋全体を暖房しておくと、暖房費が無駄に
なるだけでは無く、暖かい空気が部屋の上部に溜まり易いのでぼーっ
として、勉強の能率が上がりにくい。二重の物を使用すると更に有効で
ある。
【実施例１】
【００１０】
図１は、本考案の防寒用の蚊帳を部屋に吊り下げた状態を示す図面
である。１はビニールシート等、２は補強部材、３は吊り紐、４はフックで、
５は換気用の穴で、５には、６の蚊帳の生地が取り付けてある。
【００１１】
この様に構成したので、本考案の防寒用の蚊帳は、夏の蚊帳と同じ
様に部屋に吊り下げて使用する。ビニールシート等で空気が遮断される
ので蚊帳の中の体温や、電気コタツなどの熱が逃げにくく、部屋を暖房
しなくても、部屋の外からの隙間風の影響を直接には受けない。換気
用の穴が開いているので換気も自然に行われ、冬場にも居る蚊の侵入
も無いのでぐっすりと眠る事が出来る。部屋全体を暖房する時に起きが
ちな空気の乾燥も抑制されて、風邪などのウィルスの増殖の抑制に多
少は貢献する。ビニールシートの代わりに気泡緩衝材シートを使用する
と、断熱性が強く防寒の効果は増すが、下端部には隙間が生じ易いの
で、下端部にはビニールシートや布などの使用が望ましい。(図示せず)
【産業上の利用可能性】
【００１２】
本考案の防寒用の蚊帳は、冬に使用したり、通気性を無くしたりして、
現在使用されている夏用の蚊帳とは全く逆に近い用途で使用する。
蚊帳の発明以来、蚊帳を防寒に使用すると言う考えは全く無かったの
で、防寒用に使用すると今までに誰も気付かなかった用途が色々と出
てくる。本考案の蚊帳を就寝時用に使用すると、蚊帳の本体の高さを低
くして吊り紐を長くして使用すると、蚊帳の内側の容積が小さくなるので
内側に熱が篭り易くて防寒の効果が上がる。受験生などには従来の蚊
帳と同じ高さの物を使用して机と椅子ごとカバーして、電気コタツだけを
使用して、頭寒足熱で勉強の効果を上げられる。
【００１３】
冬の災害時などに、避難場所で多くの人々と一緒に避難生活を強い
られる場合にも、防寒効果の他にプライバシーの保護が期待できる。
換気用の穴の蚊帳の生地の面積が、夏の蚊帳の生地の面積と比較す
ると極端に小さいので、避難場所に風邪が流行ったりしても、ウィルス
との接触は少なくできる。停電したりしている場合には防寒効果は必要
不可欠なので、冬の災害時には本考案の防寒用の蚊帳の使用が望ま
しい。
【図面の簡単な説明】
【００１４】
【図１】本考案の防寒用の蚊帳の使用時の図である。(実施例１)
【符号の説明】
【００１５】
１  ビニールシート等
２  補強部材
３  吊り紐
４  フック
５  換気用の穴
６  蚊帳の生地
【図１】
0003147354.tif 000003